(57)【特許請求の範囲】
【請求項１】
タンク本体に、雨水を取り込む集水口が形成されると共に、内部に溜められた雨水を取り出す取水口が下部に形成された雨水貯水槽において、
前記取水口には、該取水口を開閉自在とするバルブが取り付けられており、
該バルブには、前記タンク本体内と連通して該タンク本体内の雨水の量を計測する透明又は半透明の計測管が装着され、
前記バルブは、前記タンク本体の前記取水口と前記計測管との間に設けられていることを特徴とする雨水貯水槽。
【請求項２】
タンク本体に、雨水を取り込む集水口が形成されると共に、内部に溜められた雨水を取り出す取水口が下部に形成された雨水貯水槽において、
前記取水口には、該取水口を開閉自在とするバルブが取り付けられており、
該バルブには、前記タンク本体内と連通して該タンク本体内の雨水の量を計測する透明又は半透明の計測管が装着され、
この計測管の下端部には、水抜部が設けられていることを特徴とする雨水貯水槽。
【請求項３】
請求項１又は２に記載の雨水貯水槽において、
前記タンク本体には、上下方向に延在した凹所が形成されており、該凹所内に前記計測管及び前記バルブが収納されることを特徴とする雨水貯水槽。
【請求項４】
請求項１から３のいずれか一項に記載の雨水貯水槽において、
前記計測管は、全部又は一部が透明又は半透明の散水用ホースとされ、
前記タンク本体には、前記散水用ホースを上方に延出させた状態で係止する係止具が備えられていることを特徴とする雨水貯水槽。
【発明の詳細な説明】
【技術分野】
【０００１】
本発明は、雨水を貯水する雨水貯水槽に関する。
【背景技術】
【０００２】
従来より、園芸用、水撒き、火災時の消火活動、災害時の非常用生活用水等の様々な場面で活用するために、屋根に降った雨水を建物の雨樋から集水して使用する雨水貯水槽が用いられている。
【０００３】
この種の雨水貯水槽は、タンク本体内に外部からの光が入った場合に、タンク本体内に藻が発生して水質が劣化することがあるため、通常タンク本体の材質として不透明なものを用いて構成されている。
【０００４】
一方、雨水貯水槽の材質を不透明なものとすると、槽内の貯留水を利用する際に、外部からタンク本体内の水量を確認することができないため、水の使用対象によっては使用途中で水切れが生じる等の不都合がある。
【０００５】
そこで、従来、この種の雨水貯水槽において、タンク本体内の水位を表示するようにしたものとして、下記特許文献１に示すものが提案されている。
【０００６】
図７は、特許文献１に示す雨水貯水槽１００を示すものである。図において、雨水を貯水するタンク本体１０１は、台座１０２上に設置されており、その上端の開口部には蓋体１０３が被冠されている。タンク本体１０１内には、雨樋１０４からホース１０５を通して雨水が流入するようになっている。
【０００７】
タンク本体１０１には、ホース１０５の端部が連結される集水口１０６と、雨水を取り出す蛇口１０７と、水抜き栓１０８を備えた排水管１０９とが設けられており、更に、タンク本体１０１内の水位を表示する水位計１１０が設けられている。
【０００８】
水位計１１０は、図８（ａ）に示すように、タンク本体１０１の外壁面に表示された目盛１１１に対し、水位に応じて錘１１２が上下方向に移動することにより水位を表示するものである。
【０００９】
即ち、錘１１２は、鎖状の紐１１３の一端に固定されており、紐１１３はその他端側がタンク本体１０１の目盛１１１の上方に形成された孔１１４を通じてタンク本体１０１内に導入され、その他端には図８（ｂ）に示すように浮き玉１１５が固定されている。水位計１１０の目盛１１１を表示した面は、防風カバー１１６によって覆われている。
【００１０】
浮き玉１１５は、タンク本体１０１内に貯水された雨水の水面上に浮く構成とされている。
【００１１】
この構成において、タンク本体１０１内の雨水の量は、雨天時において雨樋１０４、ホース１０５を経て流入する雨水の量、及び蛇口１０７から排出して使用する雨水の量によって変動する。
【００１２】
ここで、タンク本体１０１内の水位が上昇すると、浮き玉１１５が上方へ移動し、これに伴い浮き玉１１５と紐１１３に連結された錘１１２が下方へ移動する。また、タンク本体１０１内の水位が下降すると、上記と逆に錘１１２が上昇する。
【先行技術文献】
【特許文献】
【００１３】
【特許文献１】特開平１１−１８３２３６号公報
【発明の概要】
【発明が解決しようとする課題】
【００１４】
ところで、この雨水貯水槽１００の水位計１１０によると、タンク本体１０１内の水量を測るのに、浮き玉１１５、錘１１２、紐１１３、防風カバー１１６が必要であり、更に、タンク本体１０１の上部に紐１１３を挿通させる孔１１４を形成する必要があり、部品点数が増えると共に構造が複雑となるという問題があった。
【００１５】
また、孔１１４が形成されているため、この孔１１４からタンク本体１０１内に埃や砂等の異物が入るおそれがあり、また、浮き玉１１５や紐１１３を水に浸けることにより、貯留水の水質が劣化するという問題があった。
【００１６】
また、紐１１３は鎖状をしているので、孔１１４の縁に引っ掛かった場合に、タンク本体１０１内の水量を適切に表示することが出来なくなるという問題があった。
【００１７】
また更に、タンク本体１０１内の水位が低い場合には、錘１１２が目盛１１１の上方に位置し、水位が高い場合には、錘１１２が目盛１１１の下方に位置するため、水位に対する目盛１１１の変化する方向が逆となり、水位ないし残水量が一見して把握し難いという問題があった。
【課題を解決するための手段】
【００１８】
そこで、この発明は、上記課題を解決するために以下の手段を提供している。
第１の発明は、タンク本体に、雨水を取り込む集水口が形成されると共に、内部に溜められた雨水を取り出す取水口が下部に形成された雨水貯水槽において、前記取水口には、該取水口を開閉自在とするバルブが取り付けられており、該バルブには、前記タンク本体内と連通して該タンク本体内の雨水の量を計測する透明又は半透明の計測管が装着され、前記バルブは、前記タンク本体の前記取水口と前記計測管との間に設けられていることを特徴とする。
第２の発明は、タンク本体に、雨水を取り込む集水口が形成されると共に、内部に溜められた雨水を取り出す取水口が下部に形成された雨水貯水槽において、前記取水口には、該取水口を開閉自在とするバルブが取り付けられており、該バルブには、前記タンク本体内と連通して該タンク本体内の雨水の量を計測する透明又は半透明の計測管が装着され、この計測管の下端部には、水抜部が設けられていることを特徴とする。
第３の発明は、前記タンク本体には、上下方向に延在した凹所が形成されており、該凹所内に前記計測管及び前記バルブが収納されることを特徴とする。
第４の発明は、前記計測管が、全部又は一部が透明又は半透明の散水用ホースとされ、前記タンク本体には、前記散水用ホースを上方に延出させた状態で係止する係止具が備えられていることを特徴とする。
【発明の効果】
【００１９】
請求項１に記載の雨水貯水槽によれば、バルブ及び計測管によるシンプルな構成で水位を確認することが出来るという効果を奏する。
また、タンク本体内と計測管とを連通させることにより水位を測るため、タンク本体に水位計のための孔等を設ける必要がなく、埃等をタンク内に進入させ難い構造とすることが出来るという効果を奏する。
【００２０】
また、タンク本体と計測管との間にバルブが設けられた構成とすることにより、水量を計測したい場合にバルブを開けて、計測管により直ちに、簡便かつ正確に水位を計測することが出来るという効果を奏する。
【００２１】
また、計測管に入った水とタンク本体内の雨水とを、バルブを閉じて分断することができるため、計測管に光が当たることにより計測管内の雨水が劣化しても、これをタンク本体に逆流させることがなく、タンク本体内における水質劣化を防止できるという効果を奏する。
【００２２】
請求項２に記載の雨水貯水槽によれば、下端部に形成された水抜部より計測管内の雨水を抜くことにより、計測管内に雨水を貯留させておかないで済むため、藻が発生して計測管内壁が汚れたりすることを防止することができるという効果を奏する。
【００２３】
請求項３に記載の雨水貯水槽によれば、凹所内に計測管及びバルブが収納されるため、雨水貯水槽の外形全体をコンパクトにまとめることができるという効果を奏する。
また、計測管自身が日光に当たることにより劣化することを極力防止することができるという効果を奏する。
【００２４】
請求項４に記載の雨水貯水槽によれば、全部又は一部が透明又は半透明の散水用ホースを計測管として使用するため、独立して計測管を設ける必要がなく経済的かつ合理的であるという効果を奏する。また、雨水貯水槽の雨水を使用する際に、散水用ホースを兼ねた計測管でタンク本体の水位を計測した後に、そのまま散水用ホース内の雨水を使用することができるという効果を奏する。
【図面の簡単な説明】
【００２５】
【図１】は、本発明の第１の実施形態として示した雨水貯水槽の正面図である。
【図２】は、本発明の第１の実施形態として示した雨水貯水槽に設けられたバルブと計測管の一部を示した拡大正面図である。
【図３】は、本発明の第２の実施形態として示した雨水貯水槽のタンク本体を下方から見た斜視図である。
【図４】は、本発明の第３の実施形態として示した雨水貯水槽の正面図である。
【図５】は、本発明の第３の実施形態として示した雨水貯水槽の取水口付近を拡大して示した部分側面図である。
【図６】（ａ）及び（ｂ）は、本発明の第１及び第２の実施形態として示した計測管先端の部分拡大図である。
【図７】は、従来の雨水貯水槽を示した正面図である。
【図８】（ａ）は、従来の雨水貯水槽の水量計の上部を示した部分拡大正面図であり、（ｂ）は、同図（ａ）のＢ−Ｂ部分の拡大平断面図である。
【発明を実施するための形態】
【００２６】
以下、図を参照して本発明の雨水貯水槽の実施形態について説明する。
図１は、本発明の第１の実施形態の雨水貯水槽１Ａを示した正面図であって、雨水を貯水するタンク本体２は、台座３上に設置されている。
【００２７】
タンク本体２は、外観が略直方体形状の槽であり、その天板部２ａには集水口４が形成され、左右の側壁部２ｂ、２ｃには取水口５、６が形成され、背壁部（不図示）には、オーバーフロー用の開口部（不図示）が形成され、底壁部２ｄには水抜用蓋体７を備えた排水口８が形成されている。
【００２８】
集水口４には、集水継手９を介して雨樋１０が連結されており、この雨樋１０からの雨水が集水口４を通ってタンク本体２内に集水されるようになっている。
【００２９】
取水口６（５）は、図２に示すように、側壁部２ｃ（２ｂ）から外方へ突出する筒状の壁部であって、その外周面は雄螺子部１１とされている。
【００３０】
取水口６には、該取水口６からの流路を開閉するバルブ１３が取り付けられている。バルブ１３は、流路開閉部（不図示）を備えた管路１４に連結用の蓋体部１５を設けたものであり、蓋体部１５内面には雌螺子部１６が形成されており、蓋体部１５を雄螺子部１１に螺合することによって取水口６に固定されている。
バルブ１２の取水口５への固定も、上記と同様になされている。
【００３１】
図１に示すように、一方の取水口５（図示右側）に固定されたバルブ１２には、注水口１７が連結されており、他方の取水口６（図示左側）に固定されたバルブ１３には、計測管１８が連結されている。
【００３２】
計測管１８は、バルブ１３を操作してタンク本体内２と連通させることにより水量を計測する棒状の管であり、バルブ１３に水平に差し込まれる連結管１９と、連結管１９から上下方向に延出した管本体２０とから形成されている。この計測管１８は、タンク本体２の側壁部２ｃ側において、管本体２０が地面に対して垂直になるよう設置されている。
【００３３】
管本体２０の下端２０ａと先端２０ｂは、共に開口しているが、下端２０ａには、図２に示すように、水抜栓２１が差し込まれていて、水抜きを行うことが出来る水抜部２２を構成している。
【００３４】
管本体２０の長さ寸法は、図１に示すように、タンク本体２の高さ寸法と同等となるように形成されており、先端２０ｂが天板部２ａに達するように取り付けられている。
管本体２０の外周面には、目盛２３が付されており、高さに応じてタンク本体２内の水位及び水量が一見して分かるように表示されている。
【００３５】
タンク本体２の背面上部に形成された不図示のオーバーフロー用開口部には、図１に示すオーバーフロー用ホース２４が下方に垂下するように連結されている。
【００３６】
底壁部２ｄに形成された排水口８には、水抜用蓋体７が螺着されており、排水口８から水抜用蓋体７を離脱することによりタンク本体２内の水抜きが行えるようになっている。
【００３７】
台座３、３は、僅かに裾広がりの形状をした略直方体であって、タンク本体２の正面視左右底部を奥行き方向全体に渡って支えるように構成されたものである。台座３、３の高さ寸法は、注水口１７の下に手持ちバケツ（不図示）や如雨露（不図示）等を配置して水汲みをしやすい高さとされている。
【００３８】
次に、雨水貯水槽１Ａの作用と、その水量を確認する方法について説明する。
図１に示すように、雨天時において、雨水は雨樋１０を経由して集水口４に集められ、タンク本体２内に流水する。バルブ１２、１３及び排水口８は、通常閉じておくことで、タンク本体２に雨水が貯水される。
【００３９】
ここで、タンク本体２内の雨水の水量を確認する場合には、バルブ１３を開口して、計測管１８内に雨水を流通させる。計測管１８の管本体２０は、タンク本体２の下部から天板部２ａに達する長さで地面に対し垂直に設置されているので、タンク本体２内の雨水は、連結管１９及び管本体２０内に進入し、タンク本体２内に溜められた雨水の水位と同じ高さで止まる。
【００４０】
即ち、上記のようにバルブ１３を開口した状態においては、計測管１８がタンク本体２内と連通しているので、計測管１８の管本体２０内の水位がタンク本体２内の水位と同じ高さとなる。
したがって、この状態で管本体２０に設けられた目盛２３を読めば、タンク本体２内の水位、即ち水量を知得することが出来る。
【００４１】
また、タンク本体２内の水量を確認した後においては、バルブ１３を閉めてタンク本体２から計測管１８方向への雨水の移動が生じないようにした上で、管本体２０の下端部２０ａに差し込まれていた水抜栓２１を抜き取り、計測管１８内の雨水を外部へ排出する。
【００４２】
このように計測管１８内の雨水を排水しておけば、その後晴天時に計測管１８に日光が照射されても、その内部に藻が発生して計測管１８が汚れる等の不都合を回避することが出来る。
【００４３】
上記の雨水貯水槽１Ａに雨水が貯水された状態において、この雨水貯水槽１Ａの雨水を利用して、例えば園芸用、庭の水撒き等に使用する場合には、図１に示すバルブ１２に連結された注水口１７にホース（不図示）を連結し、バルブ１２を開いて該ホースから対象とする場所へ雨水を散水することが出来る。
【００４４】
この場合、前述した方法によりタンク本体２内の雨水の量を計測管１８により予め確認しておくことで、散水途中で思わぬ水切れが生じる等の不都合を回避して良好な散水を行うことが出来る。
【００４５】
なお、上記の雨水貯水槽１Ａにおいて、雨天時においてタンク本体２内が雨水で一杯になり、水面が天板部２ａに達しようとした場合には、オーバーフロー用開口部（不図示）に雨水が流れ込み、オーバーフロー用ホース２４を通じて地面に排水される。また、タンク本体２の内底面に泥や埃が溜まる頃には、水抜用蓋体７を取り外して排水口８を開口することで、残水と共に溜まった泥や埃を流し出すことができる。
【００４６】
上記の雨水貯水槽１Ａによれば、バルブ１３及び計測管１８によるシンプルな構成で水位を確認することができるという効果が得られる。
また、バルブ１３を開けるだけで、即座、簡便、かつ正確に水位及び水量を計測することが出来るという効果が得られる。
【００４７】
また、バルブ１３を開いて計測管１８に雨水を進入させ、タンク本体２内に溜められた雨水の水位と同じ高さで止まった時点でバルブ１３を閉じておけば、計測管１８に入った雨水とタンク本体２内の雨水とをバルブ１３により分断することができる。したがって、計測管１８に光が入ることにより計測管内１８の雨水が劣化しても、これをタンク本体２に逆流させないようにすることができるという効果が得られる。
【００４８】
次に、本発明の第２の実施形態について、図３を参照して説明する。
図３は、台座３、３を省略してタンク本体２を下方から見た斜視図である。図３において、図１及び図２と同一の構成には同一符号を付し、その説明を省略する。
【００４９】
この実施の形態による雨水貯水槽１Ｂは、タンク本体２の側壁部２ｃに、計測管１８を収納する凹所２５と、バルブ１３を収納する凹所２６とを形成したものである。
【００５０】
凹所２５、２６は、タンク本体２の上下に延在するように形成された溝である。
凹所２５の幅及び奥行き寸法は、計測管１８を手で把持して、凹所２５内に該計測管１８を設置することが出来る程度のものとされており、計測管１８が収納された際には、計測管１８がタンク本体２の側面２ｃより外方に突出しない寸法とされている。
【００５１】
凹所２６は、凹所２５と連通した凹み部であり、バルブ１３が収納され、かつ、バルブ１３の開閉作業及び蓋体部１５の螺合作業が行いやすい程度の幅及び奥行き寸法で形成されている。
【００５２】
タンク本体２を上記のような構成とすることにより、計測管１８をタンク本体２に取り付けてもタンク本体２の外形内に収まり、雨水貯水槽１Ｂが全体としてコンパクトにまとまる形状とすることが出来る。
また、計測管１８に日光が当たって管が劣化したり、管内に残った雨水が日光に当たることにより計測管１８の内面が汚れたりすることを防止することができるという効果が得られる。
【００５３】
次に、本発明の第３の実施形態について、図４及び図５を参照して説明する。
図４、図５において、図１及び図２と同一の構成には同一符号を付し、その説明を省略する。
【００５４】
図４は、雨水貯水槽１Ｃの正面図である。この実施の形態による雨水貯水槽１Ｃは、バルブ１２に連結させる散水用ホース２７を計測管としても使用できるようにしたものである。
【００５５】
散水用ホース２７の材質には、ホース内部の水が見えるように透明又は半透明のものが使用されており、その外周には、図５に示すように、目盛２３が付されている。
散水用ホース２７の長さ寸法は、タンク本体２の高さ寸法よりやや長めとされている。
【００５６】
タンク本体２の側壁部２ｂの上部には、散水用ホース２７を係止させる係止具２８が設けられている。
この構成において、散水用ホース２７の先端２７ｂは、散水用ホース２７が地面に対して略垂直になるように係止具２８により保持される。
【００５７】
この雨水貯水槽１Ｃにおいて、タンク本体２内の水位を測るためには、図５に示すように、バルブ１２に取り付けた散水用ホース２７の根元部２７ａをＪ字状に折曲させて先端２７ｂを真上に位置させ、図４に示すタンク本体２の側壁部２ｂに備えられた係止具２８に係止させる。
この状態で、バルブ１２を開けて散水用ホース２７内に雨水を流通させる。
【００５８】
散水用ホース２７は、タンク本体２の下部から天板部２ａに達する長さで地面に対し略垂直になるよう係止されているので、雨水は、散水用ホース２７内に進入し、タンク本体２内に溜められた雨水の水位と同じ高さで止まる。
【００５９】
この雨水貯水槽１Ｃによれば、全部又は一部が透明又は半透明の散水用ホース２７を計測管として使用するため、独立して計測管を設ける必要がなく、雨水貯水槽１Ｃの構成として経済的であるという効果が得られる。
【００６０】
また、散水用ホース２７によりタンク本体２内の水位を計測した後に、図４の二点鎖線で示すように、該散水用ホース２７の先端２７ｂを係止具２８から取り外して、散水用ホース２７内の雨水を使用してそのまま散水作業をすることができ、散水作業もスムーズに行えるという効果が得られる。
【００６１】
また、雨水貯水槽１Ａ、１Ｂにおける計測管１８と同様に、散水用ホース２７に流動した雨水の高さを見ることにより、タンク本体２内の雨水の水位ないし水量を、即座、簡便、かつ正確に計測することができるという効果が得られる。その他、雨水貯水槽１Ｃは、雨水貯水槽１Ａによって得られる効果と同様の効果が得られる。
【００６２】
なお、第１及び第２の実施形態においては、図６（ａ）に示すように、計測管１８の先端２０ｂに蓋体２９を被冠したり、同図（ｂ）に示すように、先端２０ｂの開口部を網材で覆った蓋体３０で覆ったりしてもよい。
このような構成とすることで、計測管１８内に埃やゴミ等が入って管内が汚れたり詰まったりすることを防止することができるという効果が得られる。
【符号の説明】
【００６３】
１Ａ  雨水貯水槽
１Ｂ  雨水貯水槽
１Ｃ  雨水貯水槽
２    タンク本体
４    集水口
５    取水口
６    取水口
１２  バルブ
１３  バルブ
１８  計測管
２２  水抜部
２５  凹所
２６  凹所
２７  散水用ホース
２８  係止具
２９  蓋体
３０  蓋体
【図１】
0005388757.tif 000002
【図２】
0005388757.tif 000003
【図３】
0005388757.tif 000004
【図４】
0005388757.tif 000005
【図５】
0005388757.tif 000006
【図６】
0005388757.tif 000007
【図７】
0005388757.tif 000008
【図８】
0005388757.tif 000009